(57)【要約】【課題】ポインタ情報の変化に対する機器の動作試験を効率的に、また、実際の環境に近い状態で行なうことができるようにする。【解決手段】チャネル変更指定手段２６は、ジャスティフィケーション手段２５に対してポインタ情報の可変対象となるチャネルを指定するとともに、その指定するチャネルを所定パターンにしたがって順次変更する。また、増減変更指定手段２７は、ジャスティフィケーション手段２６に対してチャネル変更指定手段２６によって指定されたチャネルについてのポインタ値の増加、減少または無変更の指定を行なうとともに、その増減の指定を所定パターンにしたがって順次変更する。【選択図】        図１
2005033563.tif 000002
【特許請求の範囲】
【請求項１】
高次フレームのペイロード部に格納するための複数チャネル分の低次フレームデータを、指定されたポインタ情報に基づいてそれぞれ生成する低次フレームデータ発生手段（２１ａ〜２１ｃ）と、
各チャネル毎のポインタ情報を記憶するポインタ情報記憶手段（２２）と、
前記各低次フレームデータ発生手段に対して前記ポインタ情報記憶手段に記憶されている各ポインタ情報を指定するとともに、該指定したポインタ情報に対して各低次フレームデータ発生手段から出力される低次フレームデータにそれぞれのポインタ情報を付加して出力するポインタ情報指定手段（２３ａ〜２３ｃ）と、
前記各低次フレームデータと前記ポインタ情報とを受け、各ポインタ情報を高次フレームのヘッダ部に挿入し、各低次フレームデータを、高次フレームのペイロード部の前記ポインタ情報のポインタ値が示す位置を先頭位置として格納して、高次フレームデータを生成する多重化手段（２４）と、
前記ポインタ情報記憶手段に記憶されているポインタ情報のうち、指定されたチャネルのポインタ情報を可変して、前記高次フレームデータのペイロード部に格納される低次フレームデータの格納位置とヘッダ部のポインタ情報を変更するジャスティフィケーション手段（２５）と、
前記ジャスティフィケーション手段に対してポインタ情報の可変対象となるチャネルを指定するとともに、該指定するチャネルを順次変更するチャネル変更指定手段（２６）と、
前記ジャスティフィケーション手段に対して前記チャネル変更指定手段によって指定されたチャネルについてのポインタ値の増加、減少または無変更の指定を行なうとともに、該増減の指定を順次変更する増減変更指定手段（２７）とを有する同期多重化フレーム発生装置。
【請求項２】
前記チャネル変更指定手段と増減変更指定手段の少なくとも一方は、擬似ランダムパターンにしたがってチャネルの変更指定またはポインタ値の増減の変更指定を行なうことを特徴とする請求項１記載の同期多重化フレーム発生装置。
【請求項３】
各ポインタ情報記憶手段に記憶されている各チャネルのポインタ情報のポインタ値の最大値と最小値との差が所定値以下となるように、前記チャネル指定変更手段または増減変更指定手段の動作を規制するチャネル位相差制限手段（３０）を設けたことを特徴とする請求項１または請求項２記載の同期多重化フレーム発生装置。
【発明の詳細な説明】
【０００１】
【発明の属する技術分野】
本発明は、ＳＤＨやＳＯＮＥＴ等の同期伝送システムに用いられる機器の動作を試験するための同期多重化フレーム発生装置において、フレームのヘッダに挿入されているポインタの種々の変化に対する機器の動作試験を効率的に行なうための技術に関する。
【０００２】
【従来の技術と解決しようとする課題】
ＳＤＨやＳＯＮＥＴ等の同期伝送システムでは、低次フレームデータを複数チャネル分多重化してペイロードに格納し、そのペイロードにヘッダを付加して高次フレームを生成するという処理を多段階にわたって行ない、多チャネルに多重化されたフレームを生成して伝送している。
【０００３】
このような多重化処理を行なう際に、多重化される低次フレームデータのビットレートの誤差やデータ信号の経路の遅延等に起因して、高次フレーム内の低次フレームの格納位置が時間の経過にともなってずれていくという現象が発生する。
【０００４】
同期伝送システムでは、このような低次フレームの格納位置のずれがあっても、受信側でその低次フレームを正しく抽出できるように、高次フレームのヘッダの所定位置に、ペイロードに格納される各チャネルの低次フレームの格納先頭位置を表すポインタ値とその変更履歴等の情報を含むポインタ情報をチャネル毎に挿入し、その格納位置のずれに応じてポインタ値を増減させており、受信側で必要とするチャネルの低次フレームデータをそのチャネルに対応したポインタ値が示している位置から抽出できるようにしている。なお、このようにポインタ値の増減を含むポインタ情報の変更と格納位置の変更を行なうことをジャスティフィケーションと呼んでいる。
【０００５】
したがって、同期伝送システムの多重化されたデータ信号を受信する機器では、ポインタ情報が変化した場合でも、多重化されたデータ信号から所望のチャネルのデータ信号を正しく抽出できる必要がある。
【０００６】
このジャスティフィケーションに対する機器の受信能力を評価するために、ポインタ情報および格納位置を任意に可変できる多重化フレームが必要となる。
【０００７】
この種の多重化フレーム発生装置としては、次の特許文献１のように、固定のチャネルに対するポインタ値の増減変化させるものが従来からあったが、これでは全てのチャネルについての動作試験を効率的に行なうことができず、また、実際の伝送システムで発生する様々な遅延や周波数ずれの状態を再現することができないという問題があった。
【０００８】
【特許文献１】
特開平６−２１６８７２号公報
【０００９】
本発明は、この点を改善して、ポインタ情報の変化に対する機器の動作試験を効率的に、また、実際の環境に近い状態で行なうことができる同期多重化フレーム発生装置を提供することを目的としている。
【００１０】
【課題を解決するための手段】
前記目的を達成するために、本発明の請求項１の同期多重化フレーム発生装置は、
高次フレームのペイロード部に格納するための複数チャネル分の低次フレームデータを、指定されたポインタ情報に基づいてそれぞれ生成する低次フレームデータ発生手段（２１ａ〜２１ｃ）と、
各チャネル毎のポインタ情報を記憶するポインタ情報記憶手段（２２）と、
前記各低次フレームデータ発生手段に対して前記ポインタ情報記憶手段に記憶されている各ポインタ情報を指定するとともに、該指定したポインタ情報に対して各低次フレームデータ発生手段から出力される低次フレームデータにそれぞれのポインタ情報を付加して出力するポインタ情報指定手段（２３ａ〜２３ｃ）と、
前記各低次フレームデータと前記ポインタ情報とを受け、各ポインタ情報を高次フレームのヘッダ部に挿入し、各低次フレームデータを、高次フレームのペイロード部の前記ポインタ情報のポインタ値が示す位置を先頭位置として格納して、高次フレームデータを生成する多重化手段（２４）と、
前記ポインタ情報記憶手段に記憶されているポインタ情報のうち、指定されたチャネルのポインタ情報を可変して、前記高次フレームデータのペイロード部に格納される低次フレームデータの格納位置とヘッダ部のポインタ情報を変更するジャスティフィケーション手段（２５）と、
前記ジャスティフィケーション手段に対してポインタ情報の可変対象となるチャネルを指定するとともに、該指定するチャネルを順次変更するチャネル変更指定手段（２６）と、
前記ジャスティフィケーション手段に対して前記チャネル変更指定手段によって指定されたチャネルについてのポインタ値の増加、減少または無変更の指定を行なうとともに、該増減の指定を順次変更する増減変更指定手段（２７）とを有している。
【００１１】
また、本発明の請求項２の同期多重化フレーム発生装置は、請求項１の同期多重化フレーム発生装置において、
前記チャネル変更指定手段と増減変更指定手段の少なくとも一方は、擬似ランダムパターンにしたがってチャネルの変更指定またはポインタ値の増減の変更指定を行なうことを特徴としている。
【００１２】
また、本発明の請求項３の同期多重化フレーム発生装置は、請求項１または請求項２の同期多重化フレーム発生装置において、
各ポインタ情報記憶手段に記憶されている各チャネルのポインタ情報のポインタ値の最大値と最小値との差が所定値以下となるように、前記チャネル指定変更手段または増減変更指定手段の動作を規制するチャネル位相差制限手段（３０）を設けたことを特徴としている。
【００１３】
【発明の実施の形態】
以下、図面に基づいて本発明の実施の形態を説明する。
始めに高次の同期多重化フレームがＳＤＨの多重化の基本単位であるＳＴＭ−１である場合について説明する。
【００１４】
ＳＤＨの多重化の基本単位であるＳＴＭ−１のフレームは、図１に示すように、９×９バイトのＳＯＨ（セクションオーバヘッド）と、２６１×９バイトのペイロード部で構成される。なお、本明細書における「高次」と「低次」は単に相対的な関係を示す意味であり、より高次のＳＴＭ−４、ＳＴＭ−１６、ＳＴＭ−６４を生成する場合でも同様に適用できるものとする。
【００１５】
このＳＴＭ−１のフレームのペイロード部には、例えば３チャンネルの低次フレームデータＤ１、Ｄ２、Ｄ３（これらの低次フレームをバーチャルコンテナＶＣ−３と呼ぶ）が多重化されて格納され、ＳＯＨの４行目には、各低次フレームデータについてのポインタ情報Ｈ１１〜Ｈ３１、Ｈ１２〜Ｈ３２、Ｈ１３〜Ｈ３３が挿入されている。
【００１６】
ポインタ情報Ｈ１１〜Ｈ３１には、チャネル１の低次フレームデータＤ１のペイロード部内の格納先頭位置を表すポインタ値ｐ１やそのポインタ値の変更に関わる情報（過去数フレームのジャスティフィケーション発生の有無を示す情報等）が含まれ、ポインタ情報Ｈ１２〜Ｈ３２には、チャネル２の低次フレームデータＤ２の格納先頭位置を表すポインタ値ｐ２やそのポインタ値の変更に関わる情報が含まれ、ポインタ情報Ｈ１３〜Ｈ３３には、チャネル３の低次フレームデータＤ３のペイロード部内の格納先頭位置を表すポインタ値ｐ３やそのポインタ値の変更に関わる情報が含まれている。
【００１７】
以下の説明では、チャネル１についてのポインタ情報をまとめてｈ１、チャネル２についてのポインタ情報をまとめてｈ２、チャネル３についてのポインタ情報をまとめてｈ３と記す。なお、図１の表記は模式的なもので、これらのポインタ情報も多重化されてＳＯＨに格納されている。
【００１８】
また、ＳＴＭ−１の場合、ペイロード部における各低次フレームデータの格納領域は、図２に示しているように、縦方向に沿った１バイト幅の列を単位とし、３列おきに設定されている。
【００１９】
即ち、第１列目、第４列目、第７列目、…、第２５９列目は、第１チャネルの低次フレームデータＤ１の格納領域、第２列目、第５列目、第８列目、…、第２６０列目は第２チャネルの低次フレームデータＤ２の格納領域、第３列目、第６列目、第９列目、…、第２６１列目は第３チャネルの低次フレームデータＤ３の格納領域である。
【００２０】
そして、ポインタ情報のポインタ値ｐ１〜ｐ３は、各チャネル毎の格納領域の１×１バイトの領域を単位として、０〜７８２（＝９×２６１／３−１）の値を取り、ポインタ値「０」が示す位置はペイロード部のうち、ＳＯＨのポインタ情報格納領域と連続する４行目の最初の位置であり、ペイロード部の９行目の最後尾はポインタ値「５２１」が示す位置、ペイロード部の１行目の先頭はポインタ値「５２２」が示す位置、ペイロード部の３行目の最後尾の位置はポインタ値「７８２」が示す位置となる。
【００２１】
このように多重化された高次フレームデータ（ＳＴＭ−１）を生成するための同期多重化フレーム発生装置２０は、図３に示しているように、各チャネルの低次フレームデータＤ１〜Ｄ３をそれぞれ生成する低次フレームデータ発生手段２１ａ、２１ｂ、２１ｃを有している。
【００２２】
各低次フレームデータ発生手段２１ａ〜〜２１ｃは、高次フレームのペイロード部に格納するための３チャネル分の低次フレームデータＤ１、Ｄ２、Ｄ３を、指定されたポインタ情報ｈ１〜ｈ３に基づいてそれぞれ生成する。
【００２３】
この低次フレームデータＤ１〜Ｄ３は、所定パターンのデータ信号に誤り検出や警報監視等に必要なＰＯＨ（パスオーバヘッド）を付加したものであり、後述するポインタ情報指定手段２３ａ〜２３ｃからそれぞれ指定されたポインタ情報ｈ１、ｈ２、ｈ３によって決まる位相で出力する。
【００２４】
ポインタ情報記憶手段２２には、各チャネル毎の現在のポインタ値ｐ１や過去数フレームのジャスティフィケーション発生の有無等の情報をそれぞれ含むポインタ情報ｈ１〜ｈ３が記憶される。
【００２５】
ポインタ情報指定手段２３ａ〜２３ｃは、各低次フレームデータ発生手段２１ａ〜２１ｃに対してポインタ情報記憶手段２２に記憶されている各ポインタ情報ｈ１〜ｈ３を指定するとともに、その指定したポインタ情報に対して各低次フレームデータ発生手段２１ａ〜２１ｃから出力される低次フレームデータＤ１〜Ｄ３にポインタ情報ｈ１〜ｈ３をそれぞれ付加して、多重化手段２４に出力する。なお、この低次フレームデータとポインタ情報とを合わせたものをＳＤＨでは、ＡＵ管理データと呼び、このポインタ情報をＡＵポインタと呼ぶ。
【００２６】
多重化手段２４は、各低次フレームデータＤ１〜Ｄ３とポインタ情報ｈ１〜ｈ３とを受け、各ポインタ情報ｈ１〜ｈ３を高次フレームのヘッダ部（ＳＯＨ）の所定位置に挿入し、各低次フレームデータＤ１〜Ｄ３を、高次フレームのペイロード部のポインタ情報ｈ１〜ｈ３に含まれるポインタ値ｐ１〜ｐ３が示す位置を低次フレームの先頭位置としてそれぞれ格納して、高次フレームデータＤＡを生成して出力する。
【００２７】
また、ジャスティフィケーション手段２５は、ポインタ情報記憶手段２２に記憶されている各チャネルのポインタ情報ｈ１〜ｈ３のうち、指定されたチャネルのポインタ値を、指定された増減情報に基づいて増減可変して、高次フレームデータＤＡのペイロード部に格納される低次フレームデータＤ１〜Ｄ３の格納位置とヘッダ部のポインタ情報ｈ１〜ｈ３を順次変更する。
【００２８】
チャネル変更指定手段２６は、ジャスティフィケーション手段２５に対してポインタ情報の可変対象となるチャネルを指定するとともに、その指定するチャネルを順次変更する。
【００２９】
また、増減変更指定手段２７は、ジャスティフィケーション手段２５に対してチャネル変更指定手段２６によって指定されたチャネルについてのポインタ値の増加、減少または無変更の指定を行なうとともに、その増減の指定を順次変更する。
【００３０】
チャネル変更指定手段２６と増減変更指定手段２７は、例えば図４に示すように構成することができる。
【００３１】
即ち、前記したように多重化する低次フレームデータのチャネル数が３の場合、チャネルを指定するパターンは（０００）〜（１１１）までの８通りであり、その８つのパターンをチャネル変更指定手段２６と増減変更指定手段２７の各メモリ２６ａ、２７ｂに記憶しておく。
【００３２】
そして、チャネル変更指定手段２６の場合、アドレス指定回路２６ｂがメモリ２６ａに対する読出アドレスの指定をクロック信号Ｃに同期して行い、その指定されたアドレスから読み出されたパターン信号をチャネル指定信号としてジャスティフィケーション手段２５に出力する。なお、この場合、例えば、パターン出力が「１」のチャネルを指定、「０」のチャネルを非指定とする。
【００３３】
一方、増減変更指定手段２７の場合も、アドレス指定回路２７ｂがメモリ２７ａに対する読出アドレスの指定をクロック信号Ｃに同期して行い、その指定されたアドレスから読み出されたパターン信号と、チャネル変更指定手段２６側のメモリ２６ａから読み出されたパターン信号との論理演算（ここでは論理積の例を示すが排他的論理であってもよい）を各論理回路２７ｃ〜２７ｅでビット毎に行い、その論理演算出力を増減指定信号としてジャスティフィケーション手段２５に出力する。なお、この場合、例えば、論理演算出力が「１」のとき増加、「０」のとき減少を指示するものとする。
【００３４】
ここで、アドレス指定回路２６ｂ、２７ｂとして、クロック信号Ｃを計数する８進のカウンタで構成し、その計数結果でアドレスを指定するように構成した場合、チャネルと増減の組合せが８通りに限定され、それが順番に繰り返されるだけとなってしまうが、例えばアドレス指定回路２６ｂを８進カウンタで構成し、アドレス指定回路２７ｂを９進カウンタで構成してその９ビットの計数出力のうちの８ビットでアドレスを指定するように構成すれば、７２回のクロック入力で６４通りの全ての組合せが得られる。
【００３５】
また、上記のようにカウンタの計数出力でアドレス指定する場合、そのアドレス値が規則的に変化することになるが、アドレス指定回路２６ｂ、２７ｂの少なくとも一方を、８ビットのランダムパターン信号をクロック信号Ｃに同期して出力するように構成すれば、組合せの総数は変わらないが、チャネルや増減の指定を不規則に行なうことができ、また、同一パターンのチャネル指定が連続したり、同一パターンの増減指定が連続する等、実際の同期伝送システムで発生する状態を再現することができる。
【００３６】
なお、上記したチャネル変更指定手段２６と増減変更指定手段２７の構成は一例であり、例えば、メモリ２６ａ、２７ａを用いずに、単純にクロック信号Ｃを計数する６ビット以上のカウンタや６ビット以上の擬似ランダム発生器を用い、その出力のうちの３ビットをチャネル指定信号として用い、残りの３ビットを増減指定信号として用いてもよい。
【００３７】
チャネル位相差制限手段３０は、ポインタ情報記憶手段２２に記憶されている各チャネルのポインタ値ｐ１〜ｐ３の最大値と最小値との差Δｐが所定値以下となるように、チャネル指定変更手段２６または増減変更指定手段２７の動作を規制して、チャネル間の位相差を所定値以内に制限する。
【００３８】
このチャネル位相差制限手段３０による規制は、例えば、ポインタ値の最大値と最小値との差Δｐが所定値に近づいたときに、その最大値となるチャネルについての増加指定と、最小値となるチャネルについての減少指定を反転させる等の処理を行なって、両者の差Δｐを減少させる。
【００３９】
次に、この同期多重化フレーム発生装置２０の動作について説明する。
例えば、ポインタ情報記憶手段２２に記憶されている各ポインタ情報ｈ１〜ｈ３のポインタ値ｐ１〜ｐ３の初期値がともに「０」とすると、そのポインタ情報を受けた各低次フレームデータ発生手段２１ａ〜２１ｃからは、図５に示すように、送信対象の最初の１フレーム分（８７×９バイト）のデータのうち、高次フレームのペイロード部の第４行目以降に格納可能な量（８７×９バイト）のデータＤ１ａ、Ｄ１ｂ、Ｄ１ｃがそれぞれ出力される。なお、ここでＪ１ａ〜Ｊ１ｃは各低次フレームのＰＯＨの先頭データを示し、残りのデータＤ１ｂ〜Ｄ３ｂは次の多重化のタイミングに出力される。
【００４０】
これらの各低次フレームデータＤ１〜Ｄ３は、それぞれのポインタ情報ｈ１〜ｈ３とともに多重化手段２４に入力される。
【００４１】
したがって、多重化手段２４からは、図６に示すように、ＳＯＨの第４行目にに各ポインタ情報ｈ１〜ｈ３が挿入され、そのポインタ情報の格納位置に連続するペイロード部の「０」の位置を先頭位置として各低次フレームデータＤ１〜Ｄ３が格納された高次フレームデータＤＡ（ＳＴＭ−１）が生成されて、時系列に出力される。
【００４２】
そして、例えば、次の多重化のタイミング（複数回後の多重化のタイミングでもよい）の前に、チャネル変更指定手段２６によって例えば第２チャネルと第３チャネルが指定され、増減変更指定手段２７によって第２チャネルに対してポインタ値ｐ２の増加が指定され、第３チャネルに対してポインタ値ｐ３の減少が指定されると、ジャスティフィケーション手段２５によって、ポインタ情報記憶手段２２の第２チャネルのポインタ値ｐ２が１だけ増加更新されて「１」となり、第３チャネルのポインタ値ｐ３が１だけ減少更新されて「７８２」となる。
【００４３】
そして、このようにポインタ値が変更されたポインタ情報ｈ１〜ｈ３がポインタ情報指定手段２３ａ〜２３ｃから指定されると、図７に示すように、低次フレームデータ発生手段２１ａからは、前回出力したデータの残りのデータＤ１ｂと２番目のフレームの８７×９バイト分のデータＤ１ａ′とからなる低次フレームデータＤ１が出力される。
【００４４】
また、低次フレームデータ発生手段２１ｂからは、前回出力したデータの残りのデータＤ２ｂと、次フレームの８７×９−１バイト分のデータＤ２ａ′とからなる低次フレームデータＤ２が出力される。
【００４５】
また、低次フレームデータ発生手段２１ｃからは、前回出力したデータの残りのデータＤ３ｂと、次フレームの８７×９＋１バイト分のデータＤ３ａ′とからなる低次フレームデータＤ３が出力される。
【００４６】
したがって、多重化手段２４からは、図８のように、ＳＯＨの所定位置に各ポインタ情報Ｈ１〜Ｈ３が挿入され、第１チャネルの低次フレームデータＤ１の前フレームの残りデータＤ１ｂがペイロード部の先頭の位置「５２２」から順に格納され、次フレームのデータＤ１ａ′が、前記同様にペイロード部の位置「０」を先頭にして格納される。
【００４７】
また、第２チャネルの低次フレームデータＤ２の前フレームの残りデータＤ２ｂがペイロード部の先頭の位置「５２２」から順に格納され、次フレームのデータＤ２ａ′が、ペイロード部の位置「１」を先頭にして格納される。
【００４８】
また、第３チャネルの低次フレームデータＤ３の前フレームの残りデータＤ３ｂがペイロード部の先頭の位置「５２２」から順に格納され、次フレームのデータＤ３ａ′が、ペイロード部の位置「７８２」を先頭にして格納される。
【００４９】
以下、同様にして、ポインタ情報の可変対象のチャネル指定とポインタ値の増減指定が順次変更されて、その指定に応じて高次フレームに格納される各低次フレームデータの格納先頭位置とポインタ情報が自動的に順次変更されて出力される。
【００５０】
したがって、この高次フレームデータＤＡを測定対象機器に入力し、その機器が受信したチャネルのデータに対する誤り測定等を行なうことで、その機器がポインタ情報の変更に対して正しく動作するか否かを効率的に判定することができる。
【００５１】
また、前記したように、ポインタ情報の可変対象チャネルまたは増減の指定をランダムに行なった場合には、実際の同期伝送システムから出力されるデータにより実際に近い状態で機器の測定が行なえる。
【００５２】
なお、測定対象となる機器側で、各高次フレームから抽出した低次フレームデータを内部のメモリに保存しておいて、一連のチャネルデータとして再構築する場合、送信側で上記のようにポインタ情報の変更動作を繰り返しているうちに、各チャネルのポインタ値ｐ１〜ｐ３の最大値と最小値の差Δｐが所定値を越えてしまうと、測定対象の機器側でメモリがオーバーフローする恐れがある。
【００５３】
しかし、この実施形態の同期多重化フレーム発生装置２０では、前記したように、チャネル位相差制限手段３０によって、ポインタ情報記憶手段２２に記憶されている各チャネルのポインタ値ｐ１〜ｐ３の最大値と最小値との差Δｐが所定値以下となるように、チャネル指定変更手段２６または増減変更指定手段２７の動作を規制して、チャネル間の位相差を所定値以上に制限しているので、上記のような測定対象の機器側でのメモリのオーバーフローを防止でき、測定を円滑に行なうことができる。
【００５４】
なお、上記説明では、ポインタ情報を多重化タイミング毎、即ち、高次のフレームデータの生成周期毎に変更する場合について説明したが、ポインタ情報の変更周期は任意であり、高次のフレームデータの生成周期の複数倍の周期にしてもよい。
【００５５】
また、このポインタ情報の変更周期を規則的あるいは不規則に可変してもよく、このように変更周期を可変すれば、同期伝送シスムが実際に出力する同期多事化フレームにより近づけることができ、さらに実際に則した試験が行なえる。
【００５６】
【発明の効果】
以上説明したように、本発明の同期多重化フレーム発生装置は、高次フレームのペイロードに対する複数チャネルの低次フレームデータの各格納位置を示すポインタ情報の可変対象のチャネルとポインタ値の増減の指定を順次変更指定している。
【００５７】
このため、ポインタ情報の変化に対する機器の受信能力を効率的に把握できる。
【００５８】
また、ポインタ情報の可変対象チャネルまたは増減の指定を不規則に行なうものでは、同期伝送シスムが実際に出力するデータを再現することができ、測定対象機器のより実際的な動作を把握できる。
【００５９】
また、チャネル毎のポインタ値の最大値と最小値の差が所定値以下となるように、ポインタ情報の可変対象チャネルまたは増減の指定を制限するものでは、多重化する低次フレームデータのチャネル間の位相差を所定値以下に制限することができ、測定対象機器側のメモリのオーバーフローを防ぐことができ、円滑な測定が可能となる。
【図面の簡単な説明】
【図１】高次フレームデータのフォーマットを示す図
【図２】ペイロードに対する低次フレームデータの格納領域を示す図
【図３】本発明の実施の形態の構成を示す図
【図４】実施形態の要部の構成例を示す図
【図５】実施形態の動作説明図
【図６】実施形態の動作説明図
【図７】実施形態の動作説明図
【図８】実施形態の動作説明図
【符号の説明】
２０……同期多重化フレーム発生装置、２１ａ〜２１ｃ……低次フレームデータ発生手段、２２……ポインタ情報記憶手段、２３ａ〜２３ｃ……ポインタ情報指定手段、２４……多重化手段、２５……ジャスティフィケーション手段、２６……チャネル変更指定手段、２７……増減変更指定手段、３０……チャネル位相差制限手段
【図１】
2005033563.tif 000003
【図２】
2005033563.tif 000004
【図３】
2005033563.tif 000005
【図４】
2005033563.tif 000006
【図５】
2005033563.tif 000007
【図６】
2005033563.tif 000008
【図７】
2005033563.tif 000009
【図８】
2005033563.tif 000010